(57)【要約】      （修正有）【課題】使用済みペットボトルの口部に取り付け可能な払拭ノズルについて、そのペットボトルを下向きにすることなく、ペットボトル内に収納した洗浄水を洗浄対象物に向けて吐き出すことができる払拭ノズルを提供する。【解決手段】払拭ノズルのノズル本体１０の吐出路１１の底部開口１１ｂに、その払拭ノズルをペットボトルＢの口部に取り付けた際に、ペットボトルＢの底部へと至るチューブ１２を取り付けたのである。ペットボトルＢが上向きのままでも、その胴部を押圧するとチューブ１２を通じて洗浄水が払拭ノズルに導入され、洗浄作業をスムーズにおこなうことができる。【選択図】図２
0003177196.tif 000002
【実用新案登録請求の範囲】
【請求項１】
ペットボトルの口部に取り付けて使用可能な払拭ノズルであって、
頂部および底部において開口する吐出路が内部に形成されたノズル本体と、
前記ノズル本体の底部に前記吐出路の底部開口を取り囲むように連設されてペットボトルの口部に外嵌可能な取り付け筒と、
前記ノズル本体の頂部に前記吐出路の頂部開口を取り囲むように連設されて、洗浄対象物に擦り付けることにより清掃作業可能な払拭部と、
前記吐出路の底部開口に取り付けられ、前記取り付け筒をペットボトルの口部に外嵌した状態で、ペットボトルの底部へと至るチューブと、を備える払拭ノズル。
【請求項２】
前記吐出路は、単一の頂部開口より下方が分岐して第１および第２の底部開口を有し、
前記第１および第２の底部開口のうち、第１の底部開口のみに前記チューブが取り付けられており、
前記吐出路上に設けられ、前記頂部開口と前記第１の底部開口が連通しかつ前記頂部開口と前記第２の底部開口を遮断する上向き使用状態と、前記頂部開口と前記第２の底部開口が連通しかつ前記頂部開口と前記第１の底部開口を遮断する下向き使用状態とに切り替え可能な切り替え機構をさらに備える払拭ノズル。
【請求項３】
前記切り替え機構は、
前記ノズル本体の周面間を貫通する差し込み孔と、
前記差し込み孔に対して、第１のスライド位置と第２のスライド位置との間で軸方向にスライド操作可能に挿通される操作軸と、
前記操作軸上に並列して形成された第１および第２の連通部と、を備え、
前記操作軸が第１のスライド位置のときに前記第１の連通部が前記頂部開口と前記第１の底部開口の間に位置することでこれらが連通し、前記操作軸が第２のスライド位置のときに前記第２の連通部が前記頂部開口と前記第２の底部開口の間に位置することでこれらが連通する、請求項２に記載の払拭ノズル。
【請求項４】
前記第１および第２の連通部は、それぞれ第１および第２の縮径部である請求項３に記載の払拭ノズル。
【請求項５】
前記第１および第２の連通部は、それぞれ前記操作軸を径方向に貫通する第１および第２の通孔である請求項３に記載の払拭ノズル。
【請求項６】
前記操作軸の軸径は前記差し込み孔の孔径よりも小さく、
前記操作軸の前記第１および第２の連通部のそれぞれ両端に外嵌し、前記差し込み孔の周面に対して水密に接触する弾性リングをさらに備える、請求項３から５のいずれかに記載の払拭ノズル。
【考案の詳細な説明】
【技術分野】
【０００１】
本考案は、使用済みペットボトルの口部に取り付けられて清掃作業に用いられる払拭ノズルに関する。
【背景技術】
【０００２】
特許文献1のように、使用済みペットボトルの口部に取り付けられて清掃作業に用いられる払拭ノズルが知られている。
この種の払拭ノズルは、図４に示すように、頂部および底部においてそれぞれ単一の開口部が開口する吐出路１１が内部に形成されたノズル本体１０と、ノズル本体１０の底部に連設されてペットボトルＢの口部に外嵌可能な取り付け筒２０と、ノズル本体１０の頂部に連設されたブラシやスポンジなどからなる払拭部３０と、を備える。
【０００３】
清掃作業の際には、使用済みのペットボトルＢに水漏れが生じない量（半分程度）の洗浄水を入れ、その口部に払拭ノズルの取り付け筒２０を外嵌して取り付けた状態で、窓ガラスなどの洗浄対象物に払拭部３０を近接させる。
そして、ペットボトルＢが上向きのままでは、ペットボトルＢの内部に収納された洗浄水はノズル本体１０の吐出路１１内に導入されないため、ペットボトルＢを下向き（逆さ）にしつつ、その胴体を強く握るなどして圧力を加える。
すると、ノズル本体１０の吐出路１１を通じて洗浄水が払拭ノズルから吐き出され、洗浄対象物に付着したり払拭部３０に含浸したりし、この状態で払拭部３０を洗浄対象物にこすり付けることで、洗浄対象物に付着した汚れが取り除かれる。
【先行技術文献】
【特許文献】
【０００４】
【特許文献１】実用新案登録第３１３３４４１号公報
【考案の概要】
【考案が解決しようとする課題】
【０００５】
以上のように、従来の払拭ノズルでは、ペットボトルを下向き（逆さ）にしなければ、洗浄水を吐き出すことができなかったため、扱いにくかった。
【０００６】
そこで本考案の解決すべき課題は、使用済みペットボトルの口部に取り付け可能な払拭ノズルについて、そのペットボトルを下向きにすることなく、ペットボトル内に収納した洗浄水を洗浄対象物に向けて吐き出すことができるようにすることである。
【課題を解決するための手段】
【０００７】
上記課題を解決するため、本考案の払拭ノズルでは、ノズル本体の吐出路の底部開口に、払拭ノズルをペットボトルの口部に取り付けた際に、ペットボトルの底部へと至るチューブを取り付ける構成を採用したのである。
【０００８】
詳しくは、本考案の払拭ノズルを、頂部および底部において開口する吐出路が内部に形成されたノズル本体と、前記ノズル本体の底部に前記吐出路の底部開口を取り囲むように連設されてペットボトルの口部に外嵌可能な取り付け筒と、前記ノズル本体の頂部に前記吐出路の頂部開口を取り囲むように連設されて、洗浄対象物に擦り付けることにより清掃作業可能な払拭部と、前記吐出路の底部開口に取り付けられ、前記取り付け筒をペットボトルの口部に外嵌した状態で、ペットボトルの底部へと至るチューブと、を備えるものとしたのである。
【０００９】
前記吐出路は、単一の頂部開口より下方が分岐して第１および第２の底部開口を有し、前記第１および第２の底部開口のうち、第１の底部開口のみに前記チューブが取り付けられており、前記吐出路上に設けられ、前記頂部開口と前記第１の底部開口が連通し前記頂部開口と前記第２の底部開口を遮断する上向き使用状態と、前記頂部開口と前記第２の底部開口が連通し前記頂部開口と前記第１の底部開口を遮断する下向き使用状態とに切り替え可能な切り替え機構をさらに備えるのが好ましい。
【００１０】
前記切り替え機構は、前記ノズル本体の周面間を貫通する差し込み孔と、前記差し込み孔に対して、第１のスライド位置と第２のスライド位置との間で軸方向にスライド操作可能に挿通された操作軸と、前記操作軸上に並列して形成された第１および第２の連通部と、を備え、前記操作軸が第１のスライド位置のときに前記第１の連通部が前記頂部開口と前記第１の底部開口の間に位置することでこれらが連通し、前記操作軸が第２のスライド位置のときに前記第２の連通部が前記頂部開口と前記第２の底部開口の間に位置することでこれらが連通するのが好ましい。
【００１１】
前記第１および第２の連通部は、それぞれ第１および第２の縮径部であるか、それぞれ前記操作軸を径方向に貫通する第１および第２の通孔であるのが好ましい。
【００１２】
前記操作軸の軸径は前記差し込み孔の孔径よりも小さく、前記操作軸の前記第１および第２の連通部のそれぞれ両端に外嵌し、前記差し込み孔の周面に対して水密に接触する弾性リングをさらに備えるのが好ましい。
【考案の効果】
【００１３】
本考案の払拭ノズルでは、そのノズル本体の吐出路の底部開口に、ペットボトルの底部へと至るチューブを取り付けているため、ペットボトルが上向きのままでも、その胴部を押圧するとチューブを通じて洗浄水が払拭ノズルに導入され、洗浄作業をスムーズにおこなうことができる。
【００１４】
吐出路を分岐させて底部開口を２つ設け、その一方のみにチューブを取り付け、頂部開口と２つの底部開口を択一的に連通可能とすると、状況に応じて、ペットボトルを上向きに使用する状態と下向きに使用する状態に切り替えることができるため、さらに便利である。
【００１５】
ノズル本体の周面を軸方向にスライド可能に貫通する操作軸を設け、この操作軸のスライド操作により、使用状態を切り替えられるようにすると、操作が容易である。
操作軸に弾性リングを外嵌させておくと、軸周りからの洗浄水の漏れを防止することができる。
【図面の簡単な説明】
【００１６】
【図１】払拭ノズルをペットボトルに取り付けた状態を示す（ａ）は正面図、（ｂ）は側面図
【図２】第１実施形態の払拭ノズルの要部縦断面図
【図３】第２実施形態の払拭ノズルの要部縦断面図
【図４】従来の払拭ノズルの要部縦断面図
【考案を実施するための形態】
【００１７】
以下、図面を参照しつつ考案の実施形態について説明する。
図１に示すように、実施形態の払拭ノズル１は洗浄水（洗浄液）Ｗが収納されたペットボトルＢの口部に取り付けられ、その洗浄水Ｗを窓ガラスなどの洗浄対象物に吐き出し、頂部を洗浄対象物にこすり付けることで洗浄作業をおこなうものである。実施形態の払拭ノズル１では、ペットボトルＢを上向きに使用する状態と、下向きに使用する状態とを切り替えられるようになっており洗浄作業の容易化が図られている。
この実施形態の払拭ノズル１は、ブロック形のノズル本体１０と、ノズル本体１０の底部に連設される円筒形の取り付け筒２０と、ノズル本体１０の頂部に連設される合成樹脂発泡体からなる払拭部３０と、を備える。
実施形態の払拭ノズル１は、合成樹脂、金属等の適宜材料により形成されている。
【００１８】
図２のように、ノズル本体１０の内部には、吐出路１１が形成されている。
吐出路１１は、ノズル本体の内部の中途にある分岐部において、二方向かつ逆方向にそれぞれＬ字型に分岐している。
このため、ノズル本体１０の傾斜した頂部においては、単一の頂部開口１１ａが開口しており、ノズル本体１０のほぼ水平な底部においては、並列する第１の底部開口１１ｂおよび第２の底部開口１１ｃが開口していることになる。
さらに第１の底部開口１１ｂには、ビニールチューブ等の可撓性を有するチューブ１２がはめ込まれている。
このチューブ１２の長さは、払拭ノズル１を通常の飲みきりサイズ（たとえば５００ｍｌや３５０ｍｌ）のペットボトルＢの口部に取り付けた際に、そのペットボトルＢの底部近傍にチューブ下端が至るように、寸法調整されているものとする。
いっぽう第２の底部開口１１ｃには、なにも取り付けられていない。
【００１９】
また図２のように、ノズル本体１０には、その周面間を貫通する差し込み孔１３が形成されている。この差し込み孔１３は、ノズル本体１０の内部において分岐部上を通っている。
差し込み孔１３には、差し込み孔１３の孔径よりもその軸径が小さな操作軸１４が、軸方向にスライド可能に挿通している。
操作軸１４の軸方向の両端部は、それぞれ半球形に膨らんでタブ１４ａとなっており、このタブ１４ａをつまむことで操作軸１４を容易にスライド操作できるようになっているとともに、操作軸１４が差し込み孔１３から抜け出ることも防止されている。
操作軸１４のスライド範囲は、図２（ａ）のように、第１の底部開口１１ｂに近接する側のタブ１４ａがノズル本体１０の周面に当接する第１のスライド位置と、図２（ｂ）のように、第２の底部開口１１ｃに近接する側のタブ１４ａがノズル本体１０の周面に当接する第２のスライド位置の間に規制されている。
【００２０】
図２のように、操作軸１４の軸方向の中途には、第１および第２の連通部として、操作軸１４の他の箇所の軸径よりも小径の第１の縮径部１４ｂおよび第２の縮径部１４ｃが並列して設けられている。
ここで第１の縮径部１４ｂはその軸径が中央に向けて漸減する鼓状の形状をしており、第２の縮径部１４ｃはその軸径が均一の円柱状の形状をしている。
この第１の縮径部１４ｂおよび第２の縮径部１４ｃと差し込み孔１３の間には、比較的大きな空間があるため、その空間内に流体が流通できるようになっている。
【００２１】
図２のように、操作軸１４の第１の縮径部１４ｂおよび第２の縮径部１４ｃの外端部の近傍には、Ｏリングなどの弾性リング１５がそれぞれ外嵌している。また、第１の縮径部１４ｂおよび第２の縮径部１４ｃの境界（内端部）の近傍にも、単一の弾性リング１５が外嵌している。各弾性リング１５の外縁部は、その弾性により、差し込み孔１３の周面に水密（液密）に接触している。
ここで図２（ａ）のように、操作軸１４が第１のスライド位置にあるときは、吐出路１１上において、頂部開口１１ａと第１の底部開口１１ｂの間に第１の縮径部１４ｂが位置する。同時に、頂部開口１１ａと第２の底部開口１１ｃの間は、第１の縮径部１４ｂおよび第２の縮径部１４ｃの境界上に配置された弾性リング１５により遮断されている。
また図２（ｂ）のように、操作軸１４が第２のスライド位置にあるときは、吐出路１１上において、頂部開口１１ａと第２の底部開口１１ｃの間に第２の縮径部１４ｃが位置する。同時に、頂部開口１１ａと第１の底部開口１１ｂの間は、第１の縮径部１４ｂおよび第２の縮径部１４ｃの境界上に配置された弾性リング１５により遮断されている。
これら差し込み孔１３、操作軸１４、操作軸１４に設けられた縮径部１４ｂ、１４ｃ、操作軸１４に外嵌する弾性リング１５、は使用状態の切り替え機構を構成する。
【００２２】
図２のように、取り付け筒２０は、ノズル本体１０の底部に、第１の底部開口１１ｂおよび第２の底部開口１１ｃを取り囲むようにして一体に連設されている。
取り付け筒２０の内周面には、ねじ部２１が形成されており、このねじ部２１をペットボトルＢの口部の外周に形成されたねじ部にねじ合わせることで、払拭ノズル１をペットボトルＢの口部に取り付け可能となっている。
その他、取り付け筒２０の構造については、周知であるため、詳細な説明を省略する。
【００２３】
図１のように、ブロック形の払拭部３０は、ノズル本体１０の傾斜した頂部に、頂部開口１１ａを取り囲むようにして、貼り付け等の適宜手段により連設されている。
払拭部３０は、図示においては、合成樹脂発泡体より形成されているが、不織布から形成したもの、多数の合成樹脂フィラメントを束ねたブラシ状のもの、合成ゴムを用いたワイパー状のものなど、洗浄対象物にこすり付けることで清掃機能を発揮できるものであれば、いかなる形状、材質のものでもよい。ノズル本体１０の形状も、払拭部３０の形状、材質等に合わせて適宜変更可能であることは無論である。
その他、払拭部３０の構造については、周知であるため、詳細な説明を省略する。
【００２４】
第１実施形態の払拭ノズル１の構成については、以上のようであり、次にその作用について説明する。
【００２５】
いま図２（ａ）のように、頂部開口１１ａと第１の底部開口１１ｂの間に第１の縮径部１４ｂが位置するときには、払拭ノズル１が取り付けられたペットボトルＢを上向きのままその胴体を押圧すると、収納された洗浄水Ｗが、チューブ１２を通じて第１の底部開口１１ｂから吐出路１１内へと流入する。
ついで洗浄水Ｗは、第１の縮径部１４ｂと差し込み孔１３との間の空間を流通し、最終的には頂部開口１１ａから外部へと吐き出され、洗浄対象物に付着するか払拭部３０に含浸される。
【００２６】
いっぽう図２（ｂ）のように、頂部開口１１ａと第２の底部開口１１ｃの間に第２の縮径部１４ｃが位置するときには、ペットボトルＢが上向きのままでは第２の底部開口１１ｃには洗浄水が流入しないため、ペットボトルＢを下向きにして、洗浄水Ｗを第２の底部開口１１ｃから吐出路１１内へと流入させる。
ペットボトルＢの胴体を押圧すると、洗浄水Ｗは、第２の縮径部１４ｃと差し込み孔１３との間の空間を流れ、頂部開口１１ａから外部へと吐き出され、清掃作業に供される。
【００２７】
このように、操作軸１４が第１のスライド位置にあるときは、ペットボトルＢを上向きのままで洗浄作業をおこなうことができ、状況に応じて操作軸１４を第２のスライド位置にスライドさせるだけで、ペットボトルＢを下向きにする洗浄作業に切り替えることができる。
【００２８】
図３に示す第２実施形態の払拭ノズル１では、吐出路１１の分岐部よりも下方において操作軸１４がノズル本体１０の周面間を貫通しており、その操作軸１４には、第１および第２の連通部として、径方向に貫通する第１の通孔１４ｄおよび第２の通孔１４ｅが所定の間隔を開けて並列して形成されている。
差し込み孔１３、操作軸１４、操作軸１４に設けられた通孔１４ｄ、１４ｅ、が使用状態の切り替え機構を構成する。
その他の構成については、第１実施形態とほぼ同様であるため、詳細な説明を省略する。
なお図３では、ノズル本体１０の外形の一例として、図４に示す従来の払拭ノズルにおけるノズル本体の外形と同様のものを図示しているが、これに限定されるものではないことは無論である。
【００２９】
図３（ａ）のように、操作軸１４が第１のスライド位置にあるときには、第１の通孔１４ｄが吐出路１１と合致し、第１の底部開口１１ｂから頂部開口11ａへの洗浄水の流通が許容される。同時に、第２の底部開口１１ｃと頂部開口１１ａの間は、操作軸１４の外面（通孔以外の箇所）により遮断される。
いっぽう図３（ｂ）のように、操作軸１４が第２のスライド位置にあるときには、第２の通孔１４ｅが吐出路１１と合致し、第２の底部開口１１ｃから頂部開口１１ａへの洗浄水の流通が許容される。同時に、第１の底部開口１１ｂと頂部開口１１ａの間は、操作軸１４の外面により遮断される。
第１実施形態と同様に、操作軸１４をスライド操作することで、払拭ノズル１をペットボトルＢの上向き使用状態と下向き使用状態とに切り替え可能となっている。
【００３０】
今回開示された実施形態はすべての点で例示であって制限的なものではないと考慮されるべきである。
本考案の範囲は実用新案登録請求の範囲によって示され、実用新案登録請求の範囲と均等の意味および範囲内でのすべての修正と変形を含むものであることが意図される。
【００３１】
たとえば、第１および第２の連通部の構成は、上記各実施形態の縮径部１４ｂ、１４ｃ、通孔１４ｄ、１４ｅに限定されず、要するに差し込み孔１３と操作軸１４の間に洗浄水Ｗを流通可能であれば足り、操作軸１４の外周面に形成される溝などでもよい。
また、操作軸１４の軸径を差し込み孔１３の孔径とほぼ同じとしたり、別途水漏れ防止手段を講じたりすることで、弾性リング１５を省略することが可能である。
【００３２】
切り替え機構についても上記各実施形態に限定されず、たとえば周知の切り替え弁のような機構を適用してもよい。
さらには切り替え機構を省略して、吐出路１１を分岐させず頂部開口１１ａおよび底部開口をそれぞれ単一のものとして、この単一の底部開口にチューブ１２を取り付けてもよい。この場合は、ペットボトルＢを上向きにしないと使用できないが、その反面、払拭ノズルの構造の簡略化および製造コストの低廉化が図られる。
【符号の説明】
【００３３】
１  実施形態の払拭ノズル
１０  ノズル本体
１１  吐出路
１１ａ  頂部開口
１１ｂ  第１の底部開口
１１ｃ  第２の底部開口
１２  チューブ
１３  差し込み孔
１４  操作軸
１４ａ  タブ
１４ｂ  第１の縮径部
１４ｃ  第２の縮径部
１４ｄ  第１の通孔
１４ｅ  第２の通孔
１５  弾性リング
２０  取り付け筒
２１  ねじ部
３０  払拭部
Ｂ  ペットボトル
Ｗ  洗浄水
【図１】
0003177196.tif 000003
【図２】
0003177196.tif 000004
【図３】
0003177196.tif 000005
【図４】
0003177196.tif 000006
【手続補正書】
【提出日】平成24年5月21日(2012.5.21)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの口部に取り付けて使用可能な払拭ノズルであって、
頂部および底部において開口する吐出路が内部に形成されたノズル本体と、
前記ノズル本体の底部に前記吐出路の底部開口を取り囲むように連設されてペットボトルの口部に外嵌可能な取り付け筒と、
前記ノズル本体の頂部に前記吐出路の頂部開口を取り囲むように連設されて、洗浄対象物に擦り付けることにより清掃作業可能な払拭部と、
前記吐出路の底部開口に取り付けられ、前記取り付け筒をペットボトルの口部に外嵌した状態で、ペットボトルの底部へと至るチューブと、を備える払拭ノズル。
【請求項２】
前記吐出路は、単一の頂部開口より下方が分岐して第１および第２の底部開口を有し、
前記第１および第２の底部開口のうち、第１の底部開口のみに前記チューブが取り付けられており、
前記吐出路上に設けられ、前記頂部開口と前記第１の底部開口が連通しかつ前記頂部開口と前記第２の底部開口を遮断する上向き使用状態と、前記頂部開口と前記第２の底部開口が連通しかつ前記頂部開口と前記第１の底部開口を遮断する下向き使用状態とに切り替え可能な切り替え機構をさらに備える請求項１に記載の払拭ノズル。
【請求項３】
前記切り替え機構は、
前記ノズル本体の周面間を貫通する差し込み孔と、
前記差し込み孔に対して、第１のスライド位置と第２のスライド位置との間で軸方向にスライド操作可能に挿通される操作軸と、
前記操作軸上に並列して形成された第１および第２の連通部と、を備え、
前記操作軸が第１のスライド位置のときに前記第１の連通部が前記頂部開口と前記第１の底部開口の間に位置することでこれらが連通し、前記操作軸が第２のスライド位置のときに前記第２の連通部が前記頂部開口と前記第２の底部開口の間に位置することでこれらが連通する、請求項２に記載の払拭ノズル。
【請求項４】
前記第１および第２の連通部は、それぞれ第１および第２の縮径部である請求項３に記載の払拭ノズル。
【請求項５】
前記第１および第２の連通部は、それぞれ前記操作軸を径方向に貫通する第１および第２の通孔である請求項３に記載の払拭ノズル。
【請求項６】
前記操作軸の軸径は前記差し込み孔の孔径よりも小さく、
前記操作軸の前記第１および第２の連通部のそれぞれ両端に外嵌し、前記差し込み孔の周面に対して水密に接触する弾性リングをさらに備える、請求項３から５のいずれかに記載の払拭ノズル。